(57)【要約】【課題】効率的に工事を進捗させることができる建築物の外断熱工法を提供する。【解決手段】本発明の建築物の外断熱工法では、実質的に垂直方向に伸びる下地材を支持するための支持材６を壁体１に固定し、支持材６に垂直方向に伸びる下地材７を取付ける。その後、断熱材２を下地材７と壁体１との間に嵌め込み、下地材７及び支持材６に断熱材を保持させる。そして、下地材７に外装材３を取付ける。【選択図】      図３
2005016030.tif 000002
【特許請求の範囲】
【請求項１】
壁体の外側に断熱材が配置される建築物の外断熱工法において、
下地材を支持する支持材を前記壁体に固定し、前記支持材に実質的に垂直方向に伸びる前記下地材を固定する下地組み工程と、
その後、断熱材を前記支持材と前記壁体との間に嵌め込み、前記下地材及び前記支持材に前記断熱材を保持させる断熱材保持工程と、
前記下地材に外装材を固定する外装材取付け工程と、を備えることを特徴とする建築物の外断熱工法。
【請求項２】
前記支持材は、実質的な水平面内に広がる水平部を有し、
前記断熱材保持工程では、前記断熱材が垂直方向に落下しないように、前記支持部材の水平部に前記断熱材を支持させることを特徴とする請求項１に記載の建築物の外断熱工法。
【請求項３】
壁体の外側に断熱材が配置される建築物の外断熱構造において、
前記壁体に固定され、下地材を支持する支持材と、
実質的に垂直方向に伸び、前記支持材に固定される下地材と、
前記下地材と前記壁体との間に嵌め込まれ、前記下地材及び前記支持材で保持される断熱材と、
前記下地材に固定される外装材と、を備え、
前記支持材は、実質的な水平面内に広がる水平部を有し、
前記断熱材は、落下しないように前記支持材の前記水平部に支持されることを特徴とする建築物の外断熱構造。
【発明の詳細な説明】
【０００１】
【発明の属する技術分野】
本発明は、壁体の外側に断熱材が配置される建築物の外断熱工法及び外断熱構造に関する。
【０００２】
【従来の技術】
建築物を外気から効果的に断熱するために、壁体の外側に断熱材を配置する外断熱工法が採用される。例えば特許文献１には、建築物の壁体の外側に断熱材を設け、断熱材を覆うように断熱材の外側に外装パネルを設ける外断熱工法が開示されている。
【０００３】
従来一般の外断熱工法では、まず壁体に断熱材を設け、その後断熱材の外側に外装材を取付けるための下地材を組み付け、最後に下地材に外装パネルを取付けていた。これを詳述するに、まず躯体から下地材を固定するために支持ピンを突出する。次に断熱材が落下しないように、支持ピンにくし刺しのように断熱材を突き刺す。次に、垂直方向に伸びる下地材を支持ピンの先端に固定する。最後に下地材に外装パネルを取付ける。下地材は断熱材の外側に配置されるので、あらかじめ支持ピンに断熱材を突き刺した後、支持ピンに下地材を取付けていた。
【０００４】
【特許文献１】特開２０００−１６０７３３号公報
【０００５】
【発明が解決しようとする課題】
しかし、従来の外断熱工法では、躯体から支持ピンを突き出す作業と、支持ピンの先端に下地材を取付ける作業との間に、断熱材を支持ピンに突き刺す断熱工事を行う必要がある。一般に断熱工事は外装材下地工事よりも手間も時間もかかるので、断熱工事が終わるまで外装材下地工事を中断させる状態にすると、効率的に工事を進捗させることができない。
【０００６】
そこで本発明は、効率的に工事を進捗させることができる建築物の外断熱工法及び外断熱構造を提供することを目的とする。
【０００７】
【課題を解決するための手段】
以下、本発明について説明する。
【０００８】
上記課題を解決するために本発明者は、先行して下地材を構築し、その後、下地材と壁体との間に断熱材を嵌め込むようにした。具体的には本発明の建築物の外断熱工法は、壁体の外側に断熱材が配置される建築物の外断熱工法において、下地材を支持する支持材を前記壁体に固定し、前記支持材に実質的に垂直方向に伸びる前記下地材を固定する下地組み工程と、その後、断熱材を前記支持材と前記壁体との間に嵌め込み、前記下地材及び前記支持材に前記断熱材を保持させる断熱材保持工程と、前記下地材に外装材を固定する外装材取付け工程と、を備えることを特徴とする。
【０００９】
本発明の好ましい一態様は、前記支持材は、実質的な水平面内に広がる水平部を有し、前記断熱材保持工程では、前記断熱材が垂直方向に落下しないように、前記支持部材の水平部に前記断熱材を支持させることを特徴とする。
【００１０】
また本発明は、壁体の外側に断熱材が配置される建築物の外断熱構造において、前記壁体に固定され、下地材を支持する支持材と、実質的に垂直方向に伸び、前記支持材に固定される下地材と、前記下地材と前記壁体との間に嵌め込まれ、前記下地材及び前記支持材で保持される断熱材と、前記下地材に固定される外装材と、を備え、前記支持材は、実質的な水平面内に広がる水平部を有し、前記断熱材は、落下しないように前記支持材の前記水平部に支持されることを特徴とする建築物の外断熱構造としても構成することができる。
【００１１】
【発明の実施の形態】
図１及び図２は、本発明の一実施形態における建築物の外断熱構造を示す。本実施形態の外断熱構造では、壁体１の内側ではなく外側に断熱材２が設けられ、断熱材２の外側に外装材３が設けられている。断熱材２と外装材３との間には空気層４が設けられている。断熱材２には、ロックウール、グラスウール等の繊維材料でつくられた成形無機繊維板（すなわち成形板）を用いることができ、外装材には、タイル取付けパネル、金属系パネル、軽い窯業系パネル等を用いることができる。
【００１２】
建築物の壁体（躯体）の外側の所定位置には、ホールインアンカー等の固定手段５によって支持材としてのブラケット６が固定される。このブラケット６は垂直方向に伸びる下地材７を支持する役割を持ち、壁体１に沿って垂直方向に伸びる壁体固定部９と、壁体の表面に直交する方向に突出する突出部１０とを有する。突出部１０の先端に下地材７による荷重がかかっても良いように、突出部１０と壁体固定部９との接合部分は補強プレート１１で補強される。
【００１３】
ブラケット６は例えばＩ形鋼から製造されている。壁体１の表面に平行な断面において、ブラケット６の突出部１０は水平面内に広がる水平部６ａと垂直面内に広がる垂直部６ｂとを有する（図３も参照）。水平部６ａに後述する断熱材２が支持される。図４はブラケットの形状の他の例を示す。ブラケット６は、断熱材２を支持する水平部６ａと、垂直面内に広がる垂直部６ｂを有するものであればよく、その形状は必要な強度等に合わせて適宜決定される。例えばコスト的な観点からブラケットをＴバー形状に形成してもよい。また、ブラケット６をアングル材から製造しても、アルミの鋳造により製造してもよい。
【００１４】
ブラケット６の突出部１０の先端には、垂直方向に伸びる下地材７が固定される。下地材７は外装材３を固定するために設けられ、例えばアングル、角パイプ等から製造される。壁体１の表面と下地材７との間の距離は、性能上必要とされる断熱材２の厚みに略等しく設定される。
【００１５】
下地材７と壁体１との間には、矩形形状の断熱材２が嵌め込まれる。これら下地材７及びブラケット６によって断熱材２が保持されている。具体的には、断熱材２の幅方向の両側の端部２ａ，２ａが、隣接する一対の下地材７，７の裏に差し込まれる（図３参照）。これにより下地材７は、断熱材２が壁体１から剥離する、すなわち断熱材２が前方に倒れてくるのを押える。
【００１６】
断熱材２の周囲のアングルに干渉する部分、例えば幅方向の両側の辺の下部には、カッタ等で切り込み２ｂが入れられる（図３参照）。この切り込み２ｂがブラケット６の水平部６ａに引っ掛かり、これにより断熱材２の垂直方向への落下が防止される。なお、断熱材２に切り込みを入れることなく、断熱材２の下端をブラケット６の水平部６ａに載せ、これにより断熱材２の垂直方向への落下を防止してもよい。
【００１７】
図１に示されるように下地材７には、外装材３を取付けるためのパネル取付ピース１３ａ，１３ｂがファスナー１４を使って組立てられる。パネル取付ピース１３ａ，１３ｂに外装材３が取付けられる。下地材７の厚みはそのまま通気層になり、湿気排出や自然通気路となる。
【００１８】
図３を参照して、本発明の一実施形態における外断熱工法について説明する。まず壁体１にブラケット６及び下地材７を組む。具体的には、施工図に従って壁体１に墨を出し、ホールインアンカーを打ち込む。このアンカーを利用して下地材７を支持するためのブラケット６・・・を壁体１に固定する（Ｓ１）。次に、ブラケット６・・・に垂直方向に伸びる下地材７・・・を固定する。下地材７と壁体１との間には、断熱材２の厚みを想定した空間が設けられる。ブラケット６・・・の水平方向のピッチ、すなわち下地材７の水平方向のピッチは、断熱材２の横幅に合わせられ、ブラケット６・・・の垂直方向のピッチは、断熱材２の縦方向の長さに合わせられる。この他にも、外装材のパネルサイズに合わせて下地材のピッチを決定してもよい。
【００１９】
次に、断熱材２を下地材７と壁体１との間に嵌め込み、下地材７及びブラケット６に断熱材２を保持させる（Ｓ２，Ｓ３）。この工程では、断熱材２が剥離しないように断熱材２の幅方向の両側の端部２ａ，２ａを、隣接する一対の下地材７，７の裏に差し込む。また、断熱材２が垂直方向に落下しないように、ブラケット６の水平部６ａに断熱材２を支持させる。具体的には、断熱材２の周囲の水平部６ａに干渉する部分、例えば幅方向の両側の辺の下部に、カッタ等で切り込み２ｂを入れ、この切り込み２ｂをブラケット６の水平部６ａに引っ掛かける。この他にも、断熱材２に切り込み２ｂを入れることなく、断熱材２の下端をブラケット６の水平部６ａに載せてもよい。アングル状のブラケット６を使用することで、断熱材２を左右方向にも上下方向にも隙間なく配置することが可能になる。
【００２０】
次に図１に示されるように、外装材３を固定するためのパネル取付ピース１３ａ，１３ｂをファスナー１４を使って施工図通りに取付ける。外装材３の仕上がり具合を確認し、施工が終了する。
【００２１】
本実施形態では、先行して下地材７を構築し、その後、下地材７と壁体１との間に断熱材２を嵌め込んでいる。このため、外装材下地工事、すなわちブラケットを取付ける作業とブラケットに下地材を取付ける作業とを一連の作業で行え、その後集中して断熱工事を行うことができ、効率的に工事を進捗させることができる。またブラケット６に断熱材２を貫通させなくても断熱層を構築できるので、この部分の手間が縮減される。さらにブラケット６が断熱材２を載せることができる形状であるので、断熱材２は落下することがないように安定してブラケット６に支持される。断熱材２の剥離は下地材７によって防止されるので、接着剤等を用いなくても断熱材を構築できる。
【００２２】
【発明の効果】
以上に説明したように本発明によれば、外装材下地工事、すなわち支持材を取付ける作業と支持材に下地材を取付ける作業とを一連の作業で行え、その後集中して断熱工事を行うことができる。このため、効率的に工事を進捗させることができる。
【図面の簡単な説明】
【図１】本発明の一実施形態における建築物の外断熱構造を示す垂直面内断面図。
【図２】上記図１のＩＩ−ＩＩ線断面図。
【図３】本発明の一実施形態における建築物の外断熱工法を示す工程図。
【図４】ブラケットの他の例を示す斜視図。
【符号の説明】
１・・・壁体
２・・・断熱材
３・・・外装材
４・・・空気層
６・・・ブラケット（支持材）
６ａ・・・水平部
７・・・下地材
【図１】
2005016030.tif 000003
【図２】
2005016030.tif 000004
【図３】
2005016030.tif 000005
【図４】
2005016030.tif 000006
【手続補正書】
【提出日】平成15年6月25日(2003.6.25)
【手続補正１】
【補正対象書類名】図面
【補正対象項目名】図３
【補正方法】変更
【補正の内容】
【図３】
2005016030.tif 000007